(57)【要約】【課題】障害釘のレイアウトに拘わらずディスプレイ装置の視認性を低下させることなくディスプレイ装置の前面に障害釘を設けることができる遊技機器の遊技板を提供する。【解決手段】ディスプレイ装置２が視認可能に装着された遊技機器の遊技板１であって、ディスプレイ装置の前面に、障害釘５の頭部５ａが挿通可能な孔部１３ａと、当該孔部に連通する凹部１３ｂとが形成された第１透明樹脂板１３と、障害釘の脚部５ｂがインサート成形により埋設され、第１透明樹脂板の孔部および凹部に嵌合する釘ベース１４と、第１透明樹脂板の裏面に設けられ当該第１透明樹脂板との間で釘ベースを保持する第２透明樹脂板１５と、が設けられている。【選択図】  図３
2005013720.tif 000002
【特許請求の範囲】
【請求項１】
ディスプレイ装置が視認可能に装着された遊技機器の遊技板であって、前記ディスプレイ装置の前面に、
障害釘の頭部が挿通可能な孔部と、当該孔部に連通する凹部とが形成された第１透明樹脂板と、
前記障害釘の脚部がインサート成形により埋設され、前記第１透明樹脂板の孔部および凹部に嵌合する釘ベースと、
前記第１透明樹脂板の裏面側に設けられ当該第１透明樹脂板との間で前記釘ベースを保持する第２透明樹脂板と、が設けられていることを特徴とする遊技機器の遊技板。
【請求項２】
ディスプレイ装置が視認可能に装着された遊技機器の遊技板であって、前記ディスプレイ装置の前面に、
障害釘の頭部が挿通可能な孔部が形成された第１透明樹脂板と、
前記障害釘の脚部が埋設された釘ベースと、
前記第１透明樹脂板の裏面側に設けられ、前記釘ベースを受容する第２受容部が形成されて当該第１透明樹脂板との間で前記釘ベースを保持する第２透明樹脂板と、が設けられていることを特徴とする遊技機器の遊技板。
【請求項３】
前記釘ベースは前記第２受容部に締め込まれて受容されることを特徴とする請求項２記載の遊技機器の遊技板。
【請求項４】
前記第１透明樹脂板の裏面に、前記釘ベースを締め込む第１受容部が形成されていることを特徴とする請求項３記載の遊技機器の遊技板。
【請求項５】
前記第１透明樹脂板の前面に保護フィルムが設けられていることを特徴とする請求項１〜４の何れかに記載の遊技機器の遊技板。
【発明の詳細な説明】
【技術分野】
【０００１】
本発明は、パチンコ機、アレンジボール、雀球などの各種遊技機器に用いられる遊技板に関し、特にＬＣＤなどのディスプレイ装置を有する遊技機器の遊技板に関する。
【背景技術】
【０００２】
パチンコ機の前面に設けられた遊技板には、パチンコ球の流路を変更させる複数の障害釘や風車が打ち込まれているとともに、チューリップやポケットと称される入賞装置が適宜箇所に配置され、さらに遊技板の中央にはゲームに関連する画像情報やＴＶなどの画像情報を表示するための液晶ディスプレイが設けられたものもある。こうした遊技板は、パチンコ機の前枠の裏側に設けた遊技板取付枠に着脱自在に取り付けられ、定期的に入れ替え或いは新しいものと交換される。
【０００３】
ところで、ＬＣＤなどのディスプレイ装置を有するパチンコ機においては、ディスプレイ装置に障害釘を打ち込むことができないので、ディスプレイ装置の上部にひさし状の凸部を設けてパチンコ球を左右に振り分ける構造になっているのが一般的である。
【０００４】
しかしながら、こうするとディスプレイ装置の両サイドにパチンコ球の流路を確保する必要があり、そのための障害釘や風車を打ち込む必要があることから、ディスプレイ装置のサイズを大型化することができないという問題がある。また、パチンコ球の流路が狭い範囲に制限されるのでパチンコ球の流下態様が単調となってゲームの面白さに欠けるという問題もある。
【０００５】
このため、ディスプレイ装置の前面に透明な板部材を設け、この板部材に障害釘を打ち込むことでディスプレイ装置の視認性を低下させることなくパチンコ球の流路を拡大させることも提案されている（たとえば、特許文献１）。
【０００６】
しかしながら、上記公報に開示されたように透明な板部材に障害釘を接着などにより固定するだけではパチンコ球の衝撃による耐久性に問題がある。また、インサート成形法を用いて透明な板部材を成形する際に障害釘をインサートすることも考えられるが、障害釘の配置レイアウトによっては成形型が干渉して型開きができない、或いは著しく複雑な型構造を採らざるを得ないといった問題もある。
【特許文献１】特開平１１−７６５１７号公報
【発明の概要】
【０００７】
本発明は、障害釘のレイアウトに拘わらずディスプレイ装置の視認性を低下させることなくディスプレイ装置の前面に障害釘を設けることができる遊技機器の遊技板を提供することを目的とする。
【０００８】
（１）上記目的を達成するために、本発明の第１の観点によれば、ディスプレイ装置が視認可能に装着された遊技機器の遊技板であって、前記ディスプレイ装置の前面に、障害釘の頭部が挿通可能な孔部と、当該孔部に連通する凹部とが形成された第１透明樹脂板と、前記障害釘の脚部がインサート成形により埋設され、前記第１透明樹脂板の凹部に嵌合する釘ベースと、前記第１透明樹脂板の裏面に設けられ当該第１透明樹脂板との間で前記釘ベースを保持する第２透明樹脂板と、が設けられていることを特徴とする遊技機器の遊技板が提供される。
【０００９】
本発明の遊技機器の遊技板を製造するには、まず最初にインサート成形法を用いて一つの障害釘の脚部に釘ベースを成形する。この釘ベースを成形する際は、実際の障害釘のレイアウトがどうであれ、成形型が互いに干渉しないように規則的に成形型のレイアウトを設計すればインサート成形することができるので、障害釘の耐久性の問題は解消される。
【００１０】
一方、障害釘の頭部が挿通可能な孔部と、当該孔部に連通する凹部とを有するように第１透明樹脂板を射出成形法などで成形する。このとき、実際の障害釘のレイアウトに応じて孔部と凹部とを形成する。
【００１１】
先に成形しておいた釘ベースを、当該釘ベースにインサート成形した障害釘の頭部を第１透明樹脂板の孔部に挿通させつつ、釘ベースを第１透明樹脂板の凹部に嵌合させる。そして、第１透明樹脂板の背面から、釘ベースを挟み込んで保持するように第１透明樹脂板を貼り付け又はインサート成形する。
【００１２】
これにより、インサート成形により耐衝撃性を有する障害釘が、ディスプレイ装置の視認性を低下させることのない第１透明樹脂板および第２透明樹脂板によって強固に固定されることになる。
【００１３】
（２）上記目的を達成するために、本発明の第２の観点によれば、ディスプレイ装置が視認可能に装着された遊技機器の遊技板であって、前記ディスプレイ装置の前面に、障害釘の頭部が挿通可能な孔部が形成された第１透明樹脂板と、前記障害釘の脚部が埋設された釘ベースと、前記第１透明樹脂板の裏面側に設けられ、前記釘ベースを受容する第２受容部が形成されて当該第１透明樹脂板との間で前記釘ベースを保持する第２透明樹脂板と、が設けられていることを特徴とする遊技機器の遊技板が提供される。
【００１４】
上述した第１の観点による遊技機器の遊技板では、第１透明樹脂板に釘ベースを嵌合させるための凹部を形成する必要があるが、この凹部を形成するためには第１透明樹脂板の板厚が必然的に厚くなり、こういう厚板の透明な樹脂板は製造が困難である。そこで、第２の観点による本発明では、第１透明樹脂板と第２透明樹脂板それぞれの一般面は数ｍｍ程度の板厚とし、第２透明樹脂板に第２受容部を形成してここに釘ベースを受容させる。こうすることで、受容部の部分では厚板となるものの、他の一般面は薄板で形成できるので透明性を充分に確保することができる。
【００１５】
本発明において、釘ベースを第２受容部に受容させるに際し締め込んで受容させるように構成することもできる。さらに、第１透明樹脂板にも第１受容部を形成して釘ベースを第１受容部および第２受容部の両方で締め込んで受容させることもできる。釘ベースを構成する材料と障害釘を構成する材料との接着性が低い場合には障害釘の抜けが生じるおそれがあるが、釘ベースを第１受容部や第２受容部に締め込んで受容すれば、障害釘の抜けが防止できる。
【発明の実施の形態】
【００１６】
以下、本発明の実施形態を図面に基づいて説明する。
【００１７】
図１は本発明の実施形態に係るパチンコ機を示す正面図、図２は図１のII-II線に沿う断面図、図３は本発明の実施形態に係る遊技板の組立手順を示す断面図、図４は本発明の実施形態に係る釘ベースの製造方法を示す断面図および平面図である。
【００１８】
本実施形態のパチンコ機Ｐは、四角く枠組みした外枠８と、この外枠８の前面に回動自在に設けられた前枠７とで構成され、前枠７に遊技板１、機構板２０及びその他ほとんどの部品が取り付けられている。前枠７は、四角い窓孔９を有する額縁形状に形成され、図２に示したように、窓孔９の周縁を囲うように遊技板取付枠１０が裏側に設けられ、遊技板取付枠１０に設けた回転型クランプ１１で遊技板１の周縁を締め付けて固定する。
【００１９】
一方、遊技板１の主要部は合成樹脂やベニヤ板で構成され、図１に示すように、その前面に、パチンコ球の流路を変更させる複数の障害釘５や風車６が打ち込まれているとともに、チューリップやポケットと称される入賞装置４が適宜箇所に配置されている。また、遊技板１の周囲近傍には打ち出されたパチンコ球を案内するガイドレール３が設けられている。
【００２０】
本実施形態に係るパチンコ機Ｐでは、遊技板１の中央にゲームに関連する画像情報やＴＶなどの画像情報を表示するための液晶ディスプレイ２が設けられ、遊技者が液晶ディスプレイ２を見ながらパチンコゲームを楽しむことができるが、さらにこの液晶ディスプレイ２の前面にもパチンコ球が流れるように障害釘５が打ち込まれている。この液晶ディスプレイ２の前面における遊技板１の構造を以下に説明する。
【００２１】
なお、液晶ディスプレイ２の前面以外の部分の遊技板１を従来のベニヤ板等（図２に１７で示す。）で構成し、液晶ディスプレイ２の前面のみ或いはその近傍を含めた部分を以下の遊技板構造としている。
【００２２】
本実施形態に係る液晶ディスプレイ２の前面の遊技板１（図１に１’で示すが、以下便宜的に遊技板１と称する。）は、前面側に配置された第１透明樹脂板１３と、この第１透明樹脂板１３に嵌合され障害釘５がインサート成形法で打ち込まれた釘ベース１４と、第１透明樹脂板１３の裏面側に設けられた第２透明樹脂板１５とを有する。
【００２３】
図２に示す液晶ディスプレイ２の前面の遊技板１の拡大断面図が図３（Ｂ）である。第１透明樹脂板１３は、透明なポリメタクリル酸メチル（ＰＭＭＡ）やポリカーボネート（ＰＣ）などの樹脂を射出成形法などで成形することができ、この際に液晶ディスプレイ２の前面において障害釘５を配置したい適宜箇所に、図３（Ａ）に示す孔部１３ａと凹部１３ｂとを形成する。孔部１３ａは少なくとも障害釘５の頭部５ａが挿通可能な直径とされ、この孔部１３ａに連続して凹部１３ｂが形成される。凹部１３ｂの形状は、釘ベース１４が嵌合する形状であれば特に限定されず、同図に示す形状の他にも嵌合作業性を高めるためにテーパを有する錐形に形成してもよい。
【００２４】
なお、第１透明樹脂板１３の前面側はパチンコ球が衝突して傷つきやすいので、ポリエチレンテレフタレートなどの保護フィルム１６を接着やインサート成形により貼り付けておくことがより望ましい。
【００２５】
上述した第１透明樹脂板１３の孔部１３ａおよび凹部１３ｂに嵌合する釘ベース１４は、透明なアイオノマー樹脂、ポリウレタンエラストマー、ポリエステルエラストマー、ポリカーボネートなどの熱可塑性樹脂を射出成形（障害釘５を打ち込むのでインサート成形でもある。）などで成形することができる。このとき、釘ベース１４の硬度を選択することで障害釘５にパチンコ球が当たったときの反発弾性力を調節することができる。この釘ベース１４は、第１透明樹脂板１３に組み付けるとパチンコ機Ｐの前側から若干視認できるので透明であることが望ましいが、その直径が障害釘５の頭部５ａの直径とほぼ同じであれば透明色に限定されることはない。
【００２６】
本実施形態に係る釘ベース１４は、図４に示すようにインサート成形により成形することができる。図４（Ａ）は複数個の釘ベース１４を同時に成形するインサート成形金型の一つの釘ベース成形部分を示す断面図、同図（Ｂ）は同じくインサート成形金型を示す平面図である。
【００２７】
同図（Ａ）に示すように上型３１および下型３２のそれぞれには、障害釘５の半面が嵌合する部分３１ａ，３２ａと、釘ベース１４となるキャビティ３１ｂ，３２ｂとが形成され、上型３１および下型３２を開いた状態で何れか一方の部分３１ａ，３２ａ（同図では３２ａ）に障害釘５をセットし、型締めしたのち溶融樹脂をキャビティ３１ｂ，３２ｂに射出することで障害釘５の脚部５ｂが釘ベース１４に埋設される。なお、障害釘５を釘ベース１４にインサート成形する場合、同図（Ｂ）に示すように複数の釘ベース１４を、連通部３２ｃを介して同時に成形することができ、成形後にこの連通部３２ｃに相当する樹脂部分を除去するか、或いは除去しないでそのままこの樹脂部分も第１透明樹脂板１３に嵌合させる。
【００２８】
図３（Ａ）に戻り、障害釘５がインサート成形された釘ベース１４は、第１透明樹脂板１３の孔部１３ａおよび凹部１３ｂに嵌合されるが、孔部１３ａは障害釘の頭部５ａの直径より大きい直径とされているので第１透明樹脂板１３の裏面から挿入することができる。釘ベース１４は第１透明樹脂板１３の凹部１３ｂに接着剤や超音波を用いて接着したり、接着剤や超音波を用いないで填め合いにより嵌合させたりする。
【００２９】
釘ベース１４を第１透明樹脂板１３に嵌合させたら、第１透明樹脂板１３の裏面に第２透明樹脂板１５を貼り付ける。この第２透明樹脂板１５も第１透明樹脂板１３と同じ透明なポリメタクリル酸メチル（ＰＭＭＡ）やポリカーボネート（ＰＣ）などの樹脂を射出成形法などで成形することができる。また、第２透明樹脂板１５を第１透明樹脂板１３に貼り付けるには、接着剤による接着、超音波による接着、適宜箇所にフックなどの固定手段を設けておくことによる固定の他、釘ベース１４を第１透明樹脂板１３に嵌合させたものをインサート成形用金型にセットし、第２透明樹脂板１５の部分をインサート成形することによっても実施することができる。
【００３０】
以上のように、本実施形態の遊技板１によれば、どのようなレイアウトで障害釘５を配置しようと所望の箇所に障害釘５を打ち込むことができ、しかもその背面に位置する液晶ディスプレイ２の画像も視認することができる。
【００３１】
また、障害釘５を打ち込んだ釘ベース１４を弾性を有する樹脂で構成すれば、パチンコ球の衝突力を吸収することができ、障害釘５の耐久性を向上させることができる。
【００３２】
本発明の遊技機器の遊技板は種々に改変することができる。
【００３３】
図３に示す実施形態に係る遊技板では、第１透明樹脂板１３に釘ベース１４を嵌合させるための凹部１３ｂを形成する必要があるので、この凹部１３ｂを形成するために第１透明樹脂板１３の板厚を必然的に厚くしなければならないが、板厚を厚くすると透明性が低下することから、透明性が高い厚板の樹脂板を製造することは技術的に難しい。
【００３４】
そこで、図５〜図７に示す実施形態では、液晶ディスプレイ２の前面に設けられることで高い透明性が要求される第１透明樹脂板１３と第２透明樹脂板１５のそれぞれを厚くすることなく透明性を維持したまま障害釘５を設ける。
【００３５】
図５は本発明の他の実施形態に係る遊技板の要部を示す断面図であり、同図（Ａ）は組立手順を示す分解断面図、同図（Ｂ）は組立後を示す断面図である。
【００３６】
本例の遊技板１は、図１に示すパチンコ機Ｐの前面側に配置された第１透明樹脂板１３と、障害釘５の脚部５ｂがインサート成形法等で打ち込まれた釘ベース１４と、第１透明樹脂板１３の裏面側に設けられた第２透明樹脂板１５とを有する。なお、図２に示す液晶ディスプレイ２の前面の遊技板１の拡大断面図が図５（Ｂ）である。
【００３７】
第１透明樹脂板１３は、上述した実施形態と同様に透明なポリメタクリル酸メチル（ＰＭＭＡ）やポリカーボネート（ＰＣ）などの樹脂を射出成形法などで成形することができ、この際に液晶ディスプレイ２の前面において障害釘５を配置したい適宜箇所に、図５（Ａ）に示す孔部１３ａと凹部１９とを形成する。特に本例の第１透明樹脂板１３は、透明性を充分に確保できる無理のない厚さ、たとえば数ｍｍの板厚ｔで形成されている。そして、孔部１３ａは少なくとも障害釘５の頭部５ａが挿通可能な直径Ｄ１とされ、かつ釘ベース１４が挿通しない直径とされている（Ｄ１≦Ｄ２）。凹部１９は、後述する第２受容部１８に嵌合する形状であれば特に限定されないが、同図に示すテーパ形状とすれば嵌合作業性を高めることができる。
【００３８】
なお、第１透明樹脂板１３の前面側はパチンコ球が衝突して傷つきやすいので、ポリエチレンテレフタレートなどの保護フィルム１６を接着やインサート成形により貼り付けておくことがより望ましい。
【００３９】
第２透明樹脂板１５も第１透明樹脂板１３と同じ透明なポリメタクリル酸メチル（ＰＭＭＡ）やポリカーボネート（ＰＣ）などの樹脂を射出成形法などで成形することができ、板厚についても透明性を充分に確保できる無理のない厚さ、たとえば数ｍｍに形成されている。
【００４０】
この第２透明樹脂板１５の前面側の主面に、釘ベース１４を受容する第２受容部１８が一体的に形成されており、釘ベース１４がこの第２受容部１８に挿入されて嵌合される。この釘ベース１４は第２透明樹脂板１５の第２受容部１８に接着剤や超音波を用いて接着したり、接着剤や超音波を用いないで填め合いにより嵌合させたりする。
【００４１】
上述した第２透明樹脂板１５の第２受容部１８に嵌合する釘ベース１４は、透明なアイオノマー樹脂、ポリウレタンエラストマー、ポリエステルエラストマー、ポリカーボネートなどの熱可塑性樹脂を射出成形（障害釘５を打ち込むのでインサート成形でもある。）などで成形することができるが、インサート成形にのみ限定されず他の方法によっても障害釘５の脚部５ｂに釘ベース１４を打ち込むことができる。
【００４２】
なお、釘ベース１４の硬度を選択することで障害釘５にパチンコ球が当たったときの反発弾性力を調節することができる。また釘ベース１４は、第２透明樹脂板１５の第２受容部１８に組み付けるとパチンコ機Ｐの前側から若干視認できるので透明であることが望ましいが、その直径が障害釘５の頭部５ａの直径とほぼ同じであれば透明色に限定されることはない。
【００４３】
図５（Ａ）に示すように、障害釘５の脚部５ｂが打ち込まれた釘ベース１４を第２透明樹脂板１５の第２受容部１８に嵌合させたら、第２透明樹脂板１５の前面側から第１透明樹脂板１３を貼り付ける。この作業は、障害釘５の頭部５ａを第１透明樹脂板１３の孔部１３ａに挿通させながら行う。第１透明樹脂板１３を第２透明樹脂板１５に貼り付けるには、接着剤による接着、超音波による接着、適宜箇所にフックなどの固定手段を設けておくことによる固定の他、第２受容部１８と凹部１９との嵌合により行う方法もある。
【００４４】
以上のように、本実施形態の遊技板１によれば、どのようなレイアウトで障害釘５を配置しようと所望の箇所に障害釘５を打ち込むことができ、しかもその背面に位置する液晶ディスプレイ２の画像も視認することができる。また、障害釘５を打ち込んだ釘ベース１４を弾性を有する樹脂で構成すれば、パチンコ球の衝突力を吸収することができ、障害釘５の耐久性を向上させることができる。
【００４５】
これに加えて、第１透明樹脂板１３及び第２透明樹脂板１５を透明性が充分に発揮できる薄板にすることができるので、液晶ディスプレイ２の視認性を高めることができる。
【００４６】
図６は本発明の他の実施形態に係る遊技板の要部を示す断面図であり、同図（Ａ）は組立手順を示す分解断面図、同図（Ｂ）は組立後を示す断面図である。
【００４７】
本例では、図５に示す第２受容部１８の構造と、第１透明樹脂板１３に凹部１９が形成されていない点と、釘ベース１４が第１透明樹脂板１３の孔部１３ａに嵌合する点が相違する。すなわち、図６に示すように第２透明樹脂板１５の一般面に凹状部分を成形することで第２受容部１８とされている。その他の構成は図５に示す実施形態と同様であるので同一の符号を付してその詳細な説明は省略する。
【００４８】
本例の遊技板１では、同図（Ｂ）に示すように第１透明樹脂板１３と第２透明樹脂板１５とを組み付けると、障害釘５が設けられる部分以外の部分は第１透明樹脂板１３と第２透明樹脂板１５とが面接触することになるので、遊技板１の剛性が高くなる。
【００４９】
また、図５に示す実施形態と同様に、どのようなレイアウトで障害釘５を配置しようと所望の箇所に障害釘５を打ち込むことができ、しかもその背面に位置する液晶ディスプレイ２の画像も視認することができる。また、障害釘５を打ち込んだ釘ベース１４を弾性を有する樹脂で構成すれば、パチンコ球の衝突力を吸収することができ、障害釘５の耐久性を向上させることができる。
【００５０】
これに加えて、第１透明樹脂板１３及び第２透明樹脂板１５を透明性が充分に発揮できる薄板にすることができるので、液晶ディスプレイ２の視認性を高めることができる。
【００５１】
図７は本発明の他の実施形態に係る遊技板の要部を示す断面図であり、同図（Ａ）は組立手順を示す分解断面図、同図（Ｂ）は組立後を示す断面図である。
【００５２】
本例では、障害釘５の脚部５ｂと釘ベース１４との接着性が悪い場合に、釘ベース１４から障害釘５が抜けるのを防止するために、第１透明樹脂板１３の裏面に形成した第１受容部２１と第２透明樹脂板１５の表面に形成した第２受容部１８とで釘ベース１４を締め込む構造を採用する。その他の構成は図５に示す実施形態と同様であるので同一の符号を付してその詳細な説明は省略する。
【００５３】
すなわち、釘ベース１４は前後それぞれにテーパ面を有する樽型形状に形成し、第１受容部２１及び第２受容部１８をこれより若干きついテーパ面とすることで、釘ベース１４を第１受容部２１と第２受容部１８に嵌合させたときに、当該釘ベース１４の外周面から締め付ける。これにより、障害釘５の脚部５ｂと釘ベース１４との接着性が低くても、第１受容部２１と第２受容部１８とで釘ベース１４を締め付けるので、障害釘５が釘ベースから抜けるのを防止することができる。
【００５４】
なお、この場合にも、釘ベース１４に障害釘５の脚部５ｂを打ち込む方法は、インサート成形にのみ限定されず、別部品として成形しておいた釘ベース１４を用いて障害釘５の脚部５ｂを挟んだり、釘ベース１４に熱を印加しながら障害釘５の脚部５ｂを押し込んだりする方法であっても良い。
【００５５】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００５６】
【図１】本発明の実施形態に係るパチンコ機を示す正面図である。
【図２】図１のII-II線に沿う断面図である。
【図３】本発明の実施形態に係る遊技板の組立手順を示す断面図である。
【図４】本発明の実施形態に係る釘ベースの製造方法を示す断面図および平面図である。
【図５】本発明の他の実施形態に係る遊技板の組立手順を示す断面図である。
【図６】本発明のさらに他の実施形態に係る遊技板の組立手順を示す断面図である。
【図７】本発明のさらに他の実施形態に係る遊技板の組立手順を示す断面図である。
【符号の説明】
【００５７】
Ｐ…パチンコ機
１…遊技板
２…液晶ディスプレイ（ディスプレイ装置）
５…障害釘
５ａ…頭部
５ｂ…脚部
１３…第１透明樹脂板
１３ａ…孔部
１３ｂ…凹部
１４…釘ベース
１５…第２透明樹脂板
１６…保護フィルム
１８…第２受容部
２１…第１受容部
【図１】
2005013720.tif 000003
【図２】
2005013720.tif 000004
【図３】
2005013720.tif 000005
【図４】
2005013720.tif 000006
【図５】
2005013720.tif 000007
【図６】
2005013720.tif 000008
【図７】
2005013720.tif 000009
【手続補正書】
【提出日】平成16年6月8日(2004.6.8)
【手続補正１】
【補正対象書類名】図面
【補正対象項目名】全図
【補正方法】変更
【補正の内容】
【図１】
2005013720.tif 000010
【図２】
2005013720.tif 000011
【図３】
2005013720.tif 000012
【図４】
2005013720.tif 000013
【図５】
2005013720.tif 000014
【図６】
2005013720.tif 000015
【図７】
2005013720.tif 000016